(57)【要約】【課題】重複使用が可能なキャスティングモールド器材及びその使用方法を提供する。【解決手段】キャスティングモールド器材及びその使用方法はフレキシブルプラスチック類材料のキャスティングモールド本体を含み、多種の形態を備え、骨折場所或いは類似の場所を固定する。該キャスティングモールド本体は複数の顆粒を充填する。該キャスティングモールド本体は密封され漏気せず、しかもノズルを設置し、これによりキャスティングモールド本体内の空気を抽出する。空気をキャスティングモールド本体から抽出することで、堅固なキャスティングモールド器材を形成する。【選択図】図１
2008272468.tif 000002
【特許請求の範囲】
【請求項１】
重複使用が可能なキャスティングモールド器材はフレキシブルキャスティングモールド本体、複数の顆粒、機構を含み、
該フレキシブルキャスティングモールド本体は真空密封され漏気せず、該キャスティングモールド本体はおよそ狭窄形状を呈する中空で、
該複数の顆粒は該中空中に充填され、
該キャスティングモールド本体はノズルを含み。該ノズルと該キャスティングモールド本体の中空は相互に通じ、
該機構により該キャスティングモールド本体は身体部位に緊密に固定されることを特徴とする重複使用が可能なキャスティングモールド器材。
【請求項２】
前記キャスティングモールド本体は真空気密のプラスチック類材料により製造されることを特徴とする請求項１記載の重複使用が可能なキャスティングモールド器材。
【請求項３】
前記各顆粒は直径1-2ｍｍの球状プラスチック顆粒であることを特徴とする請求項１記載の重複使用が可能なキャスティングモールド器材。
【請求項４】
前記キャスティングモールド本体は前腕位置への応用に適合することを特徴とする請求項１記載の重複使用が可能なキャスティングモールド器材。
【請求項５】
前記キャスティングモールド本体は下半身胴体及び上部大腿位置への応用に適合することを特徴とする請求項１記載の重複使用が可能なキャスティングモールド器材。
【請求項６】
前記キャスティングモールド本体は下肢末端位置への応用に適合することを特徴とする請求項１記載の重複使用が可能なキャスティングモールド器材。
【請求項７】
前記キャスティングモールド本体はふくらはぎ位置への応用に適合することを特徴とする請求項１記載の重複使用が可能なキャスティングモールド器材。
【請求項８】
前記キャスティングモールド本体は上半身胴体位置への応用に適合することを特徴とする請求項１記載の重複使用が可能なキャスティングモールド器材。
【請求項９】
前記キャスティングモールド本体は病人の肩部及び腕部への応用に適合することを特徴とする請求項１記載の重複使用が可能なキャスティングモールド器材。
【請求項１０】
身体部位を固定する方法は以下のステップを含み、
（ａ）請求項1記載のキャスティングモールド器材で身体部分を覆い、
（ｂ）該キャスティングモールド器材を身体部分の輪郭及び外形に応じて成型し、
（ｃ）該キャスティングモールド器材が完全に堅固となり、該身体部分の固定状態を保持するまで、空気を該キャスティングモールド器材から該キャスティングモールド本体と連通するノズルを経て抽出し、
（ｄ）抽気停止時に閉鎖し、該ノズルを緊密に固定することを特徴とする身体部位を固定する方法。
【請求項１１】
前記身体部位を固定する方法はさらに複数のベルト体により該キャスティングモールド器材を緊密に固定するステップを含むことを特徴とする請求項１０記載の身体部位を固定する方法。
【請求項１２】
前記身体部位を固定する方法はさらに空気を該キャスティングモールド器材に入れ、該キャスティングモールドを取外すステップを含むことを特徴とする請求項１０記載の身体部位を固定する方法。
【発明の詳細な説明】
【技術分野】
【０００１】
本発明はキャスティングモールド材料に関する。特にキャスティングモールド器材の設計で、堅固な構造を形成し、骨或いは関節の固定に応用し重複使用が可能なキャスティングモールド器材及びその使用方法に係る。
【背景技術】
【０００２】
臨床医療においては、骨折、脱臼、筋肉や腱及び靭帯の損傷、先天及び後天奇形の矯正等多くの状況及び状態がある。内、骨或いは関節と関連のある部分は固定により治療する必要がある。プラスターは骨及び関節固定に用いられるキャスティングモールド材料で、既に百年の歴史があり、しかも現在までに多くの国では依然として標準的なキャスティングモールド材料である。
【０００３】
しかし、それには重く、耐水性が不良である等の欠点があるため、近年、先進国の多くでは合成樹脂(ポリウレタン樹脂等)が広く使用され、しかも整形外科の作業においては非常に重要となっている。
【０００４】
樹脂に浸した包帯は伝統的な材料に比べ、多くの長所を備えるが、やはりいくつか欠点もあり、しかも高価である。典型的な欠点は、合成スプリントは樹脂により織物を浸し製成するため、該樹脂浸漬織物は使用前に水分が浸透できないスリーブを含むことである。使用時には、該樹脂浸漬織物を湿らせ、スプリントにより固定する必要のある身体部位に応用する。合成スプリントは活性剤を必要とするため、皮膚を刺激し、しかもアレルギー反応を引き起こす。プラスター及び合成樹脂キャスティングモールド器材は共にキャスティングモールド器材を固定、並びに硬化させるため、一定の比較的長い期間が必要である。これには多くのステップを経なければならず、応用において非常に困難で、しかも面倒である。さらに製作結果が十分でなければ、廃棄し再度製作する必要がある。この他、これらキャスティングモールド器材は病人の身体から切り離し廃棄するため、環境汚染ともなっている。
【０００５】
該プラスター及び合成樹脂のキャスティングモールド方法は長所と欠点を備えるが、本発明のキャスティングモールド材料は、プラスター及び合成樹脂キャスティングモールド材料及び方法の欠点を取り除き、両者のすべての長所を備えるものである。さらには、本発明のキャスティングモールド材料は何度も重複使用が可能で、よって環境汚染となる廃棄物或いはゴミが発生せず、しかもプラスター及び合成樹脂キャスティングモールド方法が必要とする複雑なステップが不用であるため、それが要するエネルギー及び水を節約することができる。
【発明の開示】
【発明が解決しようとする課題】
【０００６】
本発明が解決しようとする第一の課題は、キャスティングモールド器材は重複使用が可能で、しかも使用及び取り外しが容易で、
本発明が解決しようとする第二の課題は、キャスティングモールド器材は大気圧を利用し、複数の顆粒を緊密に圧縮し、身体部分に固定し、
本発明が解決しようとする第三の課題は、キャスティングモールド器材の硬度或いは強度は、取り除かれる該キャスティングモールド器材内に含まれる空気の多寡により、調整可能で、
本発明が解決しようとする第四の課題は、該キャスティングモールド器材内の空気は吸引ポンプにより取り除くことができる重複使用が可能なキャスティングモールド器材及びその使用方法を提供することである。
【課題を解決するための手段】
【０００７】
上記課題を解決するため、本発明は下記の重複使用が可能なキャスティングモールド器材及びその使用方法を提供する。
【０００８】
キャスティングモールド器材はフレキシブルプラスチック類材料のキャスティングモールド本体を含み、身体四肢或いは身体部分に固定し、該キャスティングモールド本体は複数の顆粒を充填し、しかも該キャスティングモールド本体は密封性を備え漏気せず、
該キャスティングモールド本体はノズルを含み、該ノズルと該キャスティングモールド本体は相互に通じ、こうして空気を抽出し、
該キャスティングモールド本体は固定される身体部分の形状に応じて成型され、一旦該キャスティングモールド本体の内部空気を抽出すると、堅固なキャスティングモールド器材が形成され、身体部分は固定され、
本発明の別種の実施例において、該キャスティングモールド本体は複数の間隔に区分され、より平均に顆粒をその中に分配することができ、
該キャスティングモールド本体のある部分には該各間隔或いは複数の通道がなく、こうして関節或いは類似の場所の成型への使用がより便利となる。
【発明の効果】
【０００９】
上記のように、本発明はキャスティングモールド器材の設計で、堅固な構造を形成し、骨或いは関節の固定に応用し重複使用が可能である。
【発明を実施するための最良の形態】
【００１０】
図１に示すように、本発明実施例のキャスティングモールド器材１０はキャスティングモールド本体１２を備え、該キャスティングモールド本体病人の前腕に適用する。該キャスティングモールド本体１２は柔軟で気密性の高いプラスチック或いはゴム類材料により形成し、複数の堅固なプラスチック顆粒１４を充填し製造する。該各顆粒１４の直径は約1-2ｍｍである。
【００１１】
図１〜５に示すように、展開時には扁平状を呈する該キャスティングモールド本体１２は、実質的に平坦な頂表面と底表面を含み、しかもその周辺は密封する。該キャスティングモールド本体１２の頂表面及び底表面は隔絶、離され、相対的に狭くなった縦方向中空１６を形成する。該中空１６は該各顆粒１４を収容する。
【００１２】
病人の皮膚と接触する該キャスティングモールド本体１２の表面には層１３を敷設し、じゅうたん、コットン或いは類似の材料により製造する裏地により、病人の皮膚はアレルギーを起すことがない。
【００１３】
該キャスティングモールド本体１２はさらにノズル１８を含み、流体を該中空１６から進出させる。該ノズルは該キャスティングモールド器材１０から吸引ポンプ或いは他の空気を該キャスティングモールド本体１２内から取り除く装置に連接する。該ノズル１８（中空１６と連通）の相対端にはフィルター或いは狭小の栓を設置し、空気を中空１６から抽出する時、該各顆粒１４が吸い出され該ノズル１８に詰まらないようにする。
【００１４】
図１に示すように、該キャスティングモールド本体１２は相対的に扁平で、しかも固定が必要な病人の身体部分に巻き付けることができる。図１中に示す該キャスティングモールド本体１２は病人の前腕に巻き付ける様式或いは構造で、図２に最適実施例を示す。
【００１５】
該キャスティングモールド本体１２は該病人の前腕に応用され、しかも該ノズル１８は真空ポンプ或いは類似の吸引装置に連接される。該キャスティングモールド本体１２は病人の前腕を包覆し、しかも該病人前腕の輪郭と形状に応じて成形される。該キャスティングモールド本体１２の縦方向側は面接触を成し、これにより該キャスティングモールド本体１２は完全に該病人の前腕を環状に包覆する。該キャスティングモールド本体１２外側表面に加えるベルト体２０はナイロン掛け金などで、該キャスティングモールド器材を該病人の前腕に緊密に固定し保持する。続いて、空気を該中空１６から抽出すると、該キャスティングモールド本体１２は直ちに硬化する。該キャスティングモールド本体１２は該本体中空１６からの空気抽出を開始すると数秒以内に堅固になる。一般には約５秒以内である。該吸引ポンプの連接を解除する前に、栓を該ノズル１８に螺入し、しかもクリップ或いは類似物により該ノズル１８の柄を緊密に固定し、空気の該中空１６への進入を防止することができる。こうして該キャスティングモールド本体１２は該病人の前腕に相対し堅固なキャスティングモールド器材となる。
【００１６】
該キャスティングモールド本体１２から空気を抽出すると、大気圧は該顆粒１４を圧迫し、該キャスティングモールド本体１２は堅固な物質となり、しかも被固定部分の形状特徴を備える。空気が該キャスティングモールド本体１２に進入しさえしなければ、この状態は非常に長く続く。該キャスティングモールド本体の硬度は該キャスティングモールド本体１２中から抽出する空気の容積により調整制御し、容易に調整を行うことができる。
【００１７】
該キャスティングモールド器材１０は該ナイロン掛け金ベルト体２０を解放し、しかも該ノズル１８を開放すれば、簡単に取外すことができる。空気を該キャスティングモールド本体１２の中空１６に進入させれば、直ちに該キャスティングモールド本体１２は軟化し、しかも再びその硬度を維持することはない。該キャスティングモールド器材１０は保存及び再使用することができるため、環境に対して汚染を引き起こす恐れがある廃棄物とゴミを減少させることができる。
【００１８】
図６に示すように、本発明第二実施例のキャスティングモールド器材１００は実質的には前記キャスティングモールド器材１０と相同である。その差異は該キャスティングモールド器材１００の中空１６は複数の間隔或いは通道１０２に区画される点である。該各通道１０２は端部１０４において開放し、反対端部１０６は閉鎖する。該各通道１０２は該キャスティングモールド本体１２の中空１６内において該各微粒１４をより均一に分布させ、しかも該キャスティングモールド本体１２から一旦空気を抽出すると、該各通道１０２は複数の堅固な棒体を形成し、該キャスティングモールド器材１００の形状を維持する。該キャスティングモールド器材１００は同時に２個或いは多数のノズル１８を設置し、より急速に空気を該キャスティングモールド本体１２中から抽出することができる。
【００１９】
本発明のキャスティングモールド器材は可病人の身体に応用する様々な部分に合わせて製造することができる。
【００２０】
図８及び図９に示すように、乗馬ズボン式臀部「人」字型様式のキャスティングモールド器材２００は病人の下半身胴体及び上部大腿位置に応用する。
【００２１】
図１０及び図１１に示す下肢末端様式のキャスティングモールド器材３００は病人の下肢に応用する。
【００２２】
図１２及び図１３に示す肩部「人」字型様式のキャスティングモールド器材４００は病人の上半身胴体及び腕位置に応用する。
【００２３】
同時に図６、図１０及び図１２に示すように、該キャスティングモールド本体１２の身体部分中関節位置に対応する部分１０８は通道１０２を備えない。該各部分１０８により該キャスティングモールド本体１２は該区域においてよりフレキシブルとなり、該キャスティングモールド本体１２を該身体部分の予定方向に便利に対応させることができる。例えば、図７中に示す前腕の腕関節は小角度に向かい真っ直ぐでないことが望まれる。
【００２４】
本発明のキャスティングモールド器材はまた、プラスター或いは合成樹脂のキャスティングモールド器材の使用が難しい状態にも使用することができる。本発明のキャスティングモールド器材は携帯することができる。
【００２５】
吸引装置は電動或いは手動の携帯式吸引ポンプで、必要に応じて用いる。それはキャンプ時に使用され、住居或いは車両中、或いは船舶、飛機等の中に保管され事故に備えることができる。
【産業上の利用可能性】
【００２６】
本発明キャスティングモールド器材の携帯性及び軽量性は第三世界国家などの世界中のあらゆる地区に適用することができる。それは簡単に荷物とし、或いは類似物として携帯することができる。
【００２７】
本発明は最適実施例を上記の通り掲示し説明したが、他の、或いはさらに進んだ実施例は本発明の基本的な観点を離脱しない状況で成されることができる。しかも該観点は以下の特許請求の範囲で決定する。
【００２８】
発明の説明が引用する特徴、本発明が達成することができる長所及び目的により詳細に理解することができるはずである。発明の説明が簡潔に総括する本発明のより詳細な説明は図に描かれた実施例により得ることができる。
【００２９】
図は本発明の典型的な実施例を説明するに過ぎず、本発明の範囲を限定するものではなく、本発明は他の同等効果の実施例をも含むものとする。
【図面の簡単な説明】
【００３０】
【図１】本発明前腕様式キャスティングモールド器材の概要図である。
【図２】該前腕様式キャスティングモールド器材を病人の前腕に応用する側面図である。
【図３】本発明前腕様式キャスティングモールド器材の図１A-A線に沿った断面図である。
【図４】本発明前腕様式キャスティングモールド器材の透視図である。
【図５】本発明前腕様式キャスティングモールド器材沿第四図B-B線の断面図である。
【図６】本発明前腕様式キャスティングモールド器材の第二実施例の概要図である。
【図７】図６中の該前腕様式キャスティングモールド器材を病人の前腕に応用する側面図である。
【図８】本発明臀部「人」字型キャスティングモールド器材の概要図である。
【図９】本発明臀部キャスティングモールド器材を病人の身体に応用する側面図である。
【図１０】本発明下肢末端キャスティングモールド器材の概要図である。
【図１１】本発明下肢末端キャスティングモールド器材を病人の下肢部に応用する側面図である。
【図１２】本発明肩部「人」字型キャスティングモールド器材の概要図である。
【図１３】本発明肩部「人」字型キャスティングモールド器材を病人の身体に応用する側面図である。
【符号の説明】
【００３１】
１０  キャスティングモールド器材
１２  キャスティングモールド本体
１３  層
１４  顆粒
１６  中空
１８  ノズル
２０  ベルト体
１００  キャスティングモールド器材
１０２  通道
１０４  端部
１０６  端部
１０８  部分
２００  キャスティングモールド器材
３００  キャスティングモールド器材
４００  キャスティングモールド器材
【図１】
2008272468.tif 000003
【図２】
2008272468.tif 000004
【図３】
2008272468.tif 000005
【図４】
2008272468.tif 000006
【図５】
2008272468.tif 000007
【図６】
2008272468.tif 000008
【図７】
2008272468.tif 000009
【図８】
2008272468.tif 000010
【図９】
2008272468.tif 000011
【図１０】
2008272468.tif 000012
【図１１】
2008272468.tif 000013
【図１２】
2008272468.tif 000014
【図１３】
2008272468.tif 000015